【手続補正書】
【提出日】平成24年6月28日(2012.6.28)
【手続補正１】
【補正対象書類名】明細書
【補正対象項目名】０００３
【補正方法】変更
【補正の内容】
【０００３】
現在、Java（登録商標）アプリケーション管理システム（Application Management System、略称：AMS）において、Java（登録商標）アプリケーションは一般にJava（登録商標）アーカイブ（Java（登録商標） Archive、略称：jar）ファイルからデフォルトアイコンを読み出し、携帯端末のユーザインタフェースにおいてリスト形式でアイコンを表示する。インタフェースは全て静止画から成るので、端末ユーザにとって型にはまりすぎ、ユーザの視覚を引きつけない。
【手続補正２】
【補正対象書類名】明細書
【補正対象項目名】００１２
【補正方法】変更
【補正の内容】
【００１２】
携帯情報機器プロファイル（Mobile Information Device Profile、略称：MIDP）によれば、一般に、Java（登録商標）アプリケーションのためにJava（登録商標）アプリケーション記述（java（登録商標） application descriptor、略称：jad）ファイルが存在し、jadファイルは提供者、バーション、およびサイズの情報のようなJava（登録商標）アプリケーションの属性を記述するために使用される。
【手続補正３】
【補正対象書類名】明細書
【補正対象項目名】００２５
【補正方法】変更
【補正の内容】
【００２５】
Java（登録商標）アプリケーションの実行可能なコードセグメント、および、Java（登録商標）アプリケーションによって使用することが可能なリソースは、jarファイルの一部としてパックされ、携帯電話内に格納されるので、プレビュー属性（MIDlet-preview）はファイルコンテンツを正確に指し示すパスを取得するために使用される必要がある。具体的には、Java（登録商標） AMSはjadファイル内の各々のフィールド属性を解析することによって、プレビュー属性（MIDlet-preview）が名付けられたフィールド属性を取得する。フィールド属性の値はファイルコンテンツに対応するパスであり、例えば、フィールド属性は、リソースファイルのパス＋ファイル名＋ファイル名の拡張（MIDlet-preview：パス＋ファイル名＋拡張名）である。
【手続補正４】
【補正対象書類名】明細書
【補正対象項目名】００３１
【補正方法】変更
【補正の内容】
【００３１】
さらに、図１および図２に表わされている実施形態に基づいて、取得された持続時間が予め設定された閾値より小さいならば、ユーザはJava（登録商標） AMSにアクセスしたばかりであることを示し、先行技術における表示形態に従ってJava（登録商標）アプリケーションのリストが今まで通り表示され、一方、取得された持続時間が予め設定された閾値以上ならば、ハイライトのアプリケーション要求に対応するJava（登録商標）アプリケーションが取得され、Java（登録商標）アプリケーションに対応するファイル（プレビュー）コンテンツが表示インタフェースに表示される。ユーザが切り換えられた新たなハイライトのアプリケーション要求が取得されるとき、表示の内容は、新たなハイライトのアプリケーション要求に従って対応して変更される。ハイライトのアプリケーション要求に対応するファイルコンテンツ（例えば、MIDlet-preview）が存在しないならば、Java（登録商標） AMSのファイルの内容は先行技術における表示形態に従って表示される。
【手続補正５】
【補正対象書類名】特許請求の範囲
【補正対象項目名】全文
【補正方法】変更
【補正の内容】
【特許請求の範囲】
【請求項１】
ユーザインタフェースにおいて選択されたハイライトのアプリケーション要求、および、前記ハイライトのアプリケーション要求の持続時間を取得する過程と、
前記持続時間が予め設定された閾値以上であるならば、前記ハイライトのアプリケーション要求に従って対応するファイルコンテンツを取得する過程と、
前記ファイルコンテンツをプレビューする過程と、
を有する、アプリケーションの主題の内容をプレビューする方法。
【請求項２】
前記ハイライトのアプリケーション要求に従って対応するファイルコンテンツを取得する過程は、
前記ハイライトのアプリケーション要求に対応する属性情報を取得する過程と、
前記属性情報に従って前記ファイルコンテンツに対応するパスを取得する過程と、
前記パスに従って前記ハイライトのアプリケーション要求に対応するファイルコンテンツを抽出する過程と、
を有する請求項１に記載の方法。
【請求項３】
前記属性情報に従って前記ファイルコンテンツに対応するパスを取得する過程は、
アプリケーション記述ファイル内のフィールド属性を解析する過程と、
前記アプリケーション記述ファイル内の解析されたフィールド属性からプレビュー属性を取得する過程と、
を有し、
前記プレビュー属性の値は前記ファイルコンテンツに対応するパスである請求項２に記載の方法。
【請求項４】
前記ファイルコンテンツをプレビューする過程は、
前記ファイルコンテンツが画像ファイルならば、動的な形態で表示インタフェースにおいて前記画像ファイルを表示する過程、
前記ファイルコンテンツが映像ファイルならば、前記表示インタフェースにおいて前記映像ファイルを再生する過程、
前記ファイルコンテンツが音声ファイルならば、スピーカを使用することによって前記音声ファイルを再生する過程、
のうち少なくとも１つを有する請求項１から３のいずれか一項に記載の方法。
【請求項５】
前記ファイルコンテンツは、Java（登録商標）アプリケーション管理システム(AMS)のファイルコンテンツである請求項１から４のいずれか一項に記載の方法。
【請求項６】
ユーザインタフェースにおいて選択されたハイライトのアプリケーション要求、および、前記ハイライトのアプリケーション要求の持続時間を取得するように構成された第１取得モジュールと、
前記持続時間が予め設定された閾値以上であるならば、前記ハイライトのアプリケーション要求に従って対応するファイルコンテンツを取得するように構成された第２取得モジュールと、
前記ファイルコンテンツをプレビューするように構成されたプレビューモジュールと、
を備える、アプリケーションの主題の内容をプレビューする装置。
【請求項７】
前記第２取得モジュールは、
前記ハイライトのアプリケーション要求に対応する属性情報を取得するように構成された属性取得ユニットと、
前記属性情報に従って前記ファイルコンテンツに対応するパスを取得するように構成されたパス取得ユニットと、
前記パスに従って前記ハイライトのアプリケーション要求に対応するファイルコンテンツを抽出するように構成されたファイル取得ユニットと、
を備える請求項６に記載の装置。
【請求項８】
前記パス取得ユニットは、
アプリケーション記述ファイル内のフィールド属性を解析するように構成された解析サブユニットと、
前記アプリケーション記述ファイル内の解析されたフィールド属性からプレビュー属性を取得するように構成された取得サブユニットと、
を備え、
前記プレビュー属性の値は前記ファイルコンテンツに対応するパスである請求項７に記載の装置。
【請求項９】
前記プレビューモジュールは、
前記ファイルコンテンツが画像ファイルならば、動的な形態で表示インタフェースにおいて前記画像ファイルを表示するように構成された表示ユニットと、
前記ファイルコンテンツが映像ファイルならば、前記表示インタフェースにおいて前記映像ファイルを再生するように構成された第１再生ユニットと、
前記ファイルコンテンツが音声ファイルならば、スピーカを使用することによって前記音声ファイルを再生するように構成された第２再生ユニットと、
を備える請求項６から８のいずれか一項に記載の装置。
【請求項１０】
前記ファイルコンテンツは、Java（登録商標）アプリケーション管理システム(AMS)のファイルコンテンツである請求項６から９のいずれか一項に記載の装置。
【請求項１１】
請求項１から５のいずれか一項に記載の方法をコンピュータに実行させるコンピュータプログラムが記録されたコンピュータ読み取り可能な媒体。